(57)【要約】【課題】ダブルハング式の窓において、容易に枠体に取り付けができる２ドラム式バランサーを備えた上げ下げ窓を提供する。【解決手段】上枠１、下枠１０および左右の縦枠２０、３０からなる枠体５０内に上げ下げ可能な二枚の可動障子６０、８０を設け、これらの可動障子を吊り材を介して任意の高さ位置に停止可能に吊下げる２ドラム式バランサー２００ａ、２００ｂを上枠内両端にそれぞれ取り付けてなる上げ下げ窓１００において、バランサーは縦枠に当接する側部当接部とこの側部当接部の横枠の中央より上部に取り付けられる上部係止部とを具備するとともに、側部当接部は開口部と開口部の下方であってかつ取り付け状態においてバランサーのドラムの最下端よりさらに低い高さに配置される孔を備え、上枠下面には上部係止部を見付け方向に差し入れ係合することのできる被係合部を備えるとともに、縦枠には側部当接部の開口部に上向きに差し入れ可能に構成する。【選択図】      図１
2005036424.tif 000002
【特許請求の範囲】
【請求項１】
上枠、下枠および左右の縦枠からなる枠体内に上げ下げ可能な可動障子を設け、これらの可動障子を吊り材を介して任意の高さ位置に停止可能に吊下げるバランサーを前記上枠内両端にそれぞれ取り付けてなる上げ下げ窓であって、
前記バランサーは、前記縦枠に当接する側部当接部と、この側部当接部の横枠の中央より上部に取り付けられる上部係止部を具備するとともに、
前記上枠下面には、前記上部係止部を見付け方向に差し入れ係合することのできる被係合部を備えることを特徴とする上げ下げ窓。
【請求項２】
上枠、下枠および左右の縦枠からなる枠体内に上げ下げ可能な二枚の可動障子を設け、これらの可動障子を吊り材を介して任意の高さ位置に停止可能に吊下げる２ドラム式バランサーを前記上枠内両端にそれぞれ取り付けてなる上げ下げ窓であって、
前記バランサーは、前記縦枠に当接する側部当接部と、この側部当接部の横枠の中央より上部に取り付けられる上部係止部とを具備するとともに、前記側部当接部は開口部と前記開口部の下方であってかつ取り付け状態において前記バランサーのドラムの最下端よりさらに低い高さに配置される孔を備え、
前記上枠下面には、前記上部係止部を見付け方向に差し入れ係合することのできる被係合部を備えるとともに、前記縦枠には前記側部当接部の開口部に上向きに差し入れ可能に構成された側部係止部を備えることを特徴とする上げ下げ窓。
【請求項３】
上枠、下枠および左右の縦枠からなる枠体内に上げ下げ可能な二枚の可動障子を設け、これらの可動障子を吊り材を介して任意の高さ位置に停止可能に吊下げる２ドラム式バランサーを前記上枠内両端にそれぞれ取り付けてなる上げ下げ窓であって、
前記バランサーは、前記縦枠に当接する側部当接部と、この側部当接部の横枠の中央より上部に取り付けられる上部係止部とを具備するとともに、前記側部当接部は上下方向に離隔して配置された複数の開口部を備え、
前記上枠下面には、前記上部係止部を見付け方向に差し入れ係合することのできる被係合部を備えるとともに、前記縦枠には前記側部当接部の各開口部に対応する位置に上向きに差し入れ可能に構成された複数の側部係止部を備えることを特徴とする上げ下げ窓。
【発明の詳細な説明】
【０００１】
【発明の属する技術分野】
本発明は、上げ下げ窓、特にバランサーを備え、内障子と外障子とがいずれも上げ下げ可能ないわゆるダブルハング式上げ下げ窓に関する。
【０００２】
【従来の技術】
近年、建具には高い気密性、水密性、遮音性、断熱性等が求められるようになり、これらの要求を満たすために、多くの建具では建物に枠体を取り付け、この枠体に障子を取り付けた構造となっている。このことは、障子を上下動させて開け閉めする上げ下げ窓においても同じである。
【０００３】
かかる上げ下げ窓は、上下動する障子（以下、「可動障子」という。）の開閉調節方法に応じて、バランサー式とラッチ式とに大別することができる。バランサー式の上げ下げ窓では、枠体の上枠内に配置されたバランサーによって可動障子が吊られており、可動障子の開閉の度合いを任意に調整することが可能である。特許文献１には、線状障子吊下げ部材と、吊下げ部材巻取りドラムと、繰り出されたときに可動障子を上向きに付勢する定荷重渦巻きばねと、吊下げ部材巻取りドラムおよび定荷重渦巻きばねの間に両者間で力を伝達するように設けられた伝動手段とを備えている上げ下げ窓用バランサーが開示されている。通常一枚の障子に対して左右一対のバランサーが配置される。
【０００４】
また、多くの上げ下げ窓は内障子と外障子とを備えており、可動障子の枚数に応じて、シングルハング型とダブルハング型とに大別することもできる。シングルハング型の上げ下げ窓では内障子だけが可動障子となっているのに対し、ダブルハング型の上げ下げ窓では内障子および外障子の両方が可動障子となっている。ダブルハング型の上げ下げ窓では、それぞれの障子に対して左右一対のバランサーが必要とされるため、合計４個のバランサーが使用される。実際には、バランサーを上枠内にコンパクトに収容するとともに、施工上の便宜も考慮し、２つのバランサーを一体に組み合わせた２ドラムを連結したバランサー（以下において単に「２ドラム式バランサー」という。）が、左右に一つずつ使用される。このような構成を取ったダブルハング式の上げ下げ窓が特許文献２に開示されている。
【０００５】
図７は、特許文献２に開示されているダブルハング式上げ下げ窓の上枠左側部内に２ドラム式バランサーが取り付けられている構造を示す概略図である。上枠７０内には、可動障子である外障子と内障子とをそれぞれバネ力で巻取り付勢された吊り材、例えばワイヤー７１を介して任意の高さ位置に停止可能に吊下げる２ドラム式バランサー７２が左右に取り付けられている。この上げ下げ窓は、ダブルハング式であるため、それぞれの２ドラム式バランサー７２は、図７に示すように、外障子用のバランサー７２ａと、内障子用のバランサー７２ｂとが連結されて構成されている。各バランサー７２ａ、７２ｂは、上記のように、ワイヤー７１を巻取るドラムと、このドラムを巻取り方向に付勢する定荷重渦巻きばねとから主に構成されている。
【０００６】
バランサー７２ａ、７２ｂは、上枠７０の長手方向に沿って長いベースプレート７３上に取り付けられており、このベースプレート７３の一端には、各バランサー７２ａ、７２ｂから引き出されたワイヤー７１、７１を下方へ案内するガイドローラ７４、７４が設けられている。各バランサー７２ａ、７２ｂから引き出されたワイヤー７１の端部には、引掛け部としての輪７５が設けられている。前記ベースプレート７３には、これを上枠７０内の天井に取り付けるためのブラケット７６、７７が設けられている。
【０００７】
これらのブラケット７６、７７のうち、ベースプレート７３の端部（図の右端部）のブラケット７７は、予めベースプレート７３にネジ７８で取り付けられている。一方、ベースプレート７３上の、他の一のブラケット７６は、上枠７０内の天井に予め取り付けられており、後にベースプレート７３にネジ７９で固定されるように構成されている。したがって、ベースプレート７３上の２ドラム式バランサー７２を、上げ下げ窓の上枠７０に固定するためには、ネジ７９によりベースプレート７３をブラケット７６に固定し、さらに、ベースプレート７３に取り付けられているブラケット７７については、図の参照符号８０で示される位置において、ネジ等で上枠７０に固定する作業が必要である。
【特許文献１】
特開平８−１３５２９６号公報
【特許文献２】
特開２０００−２４８８２１号公報
【０００８】
【発明が解決しようとする課題】
しかし、上記のバランサー固定作業を行う位置は通常高所にあるため、取り付け作業を行う者は脚立に乗って、しかも重量のある２ドラム式バランサーを頭上に保持しつつ２箇所のネジ止めを余儀なくされている。しかも、図７において参照符号８０で示される位置のネジ止めは、奥まった位置にあるため、さらに作業に困難が伴うことになるという問題もあった。
【０００９】
そこで、本発明は、ダブルハング式の窓において、容易に枠体に取り付けができる２ドラム式バランサーを備えた上げ下げ窓を提供することを課題とする。
【００１０】
【課題を解決するための手段】
以下、本発明について説明する。なお、本発明の理解を容易にするために添付図面の参照符号を括弧書きにて付記するが、それにより本発明が図示の形態に限定されるものではない。
【００１１】
請求項１の発明は、上枠（１）、下枠（１０）および左右の縦枠（２０、３０）からなる枠体（５０）内に上げ下げ可能な可動障子（６０、８０）を設け、これらの可動障子を吊り材（２１０ａ、２１０ｂ）を介して任意の高さ位置に停止可能に吊下げるバランサー（２００ａ、２００ｂ）を上枠内両端にそれぞれ取り付けてなる上げ下げ窓（１００）であって、バランサーは、縦枠に当接する側部当接部（２７０）と、この側部当接部の横枠の中央より上部に取り付けられる上部係止部（２６０）を具備するとともに、上枠下面（４００）には、上部係止部を見付け方向に差し入れ係合することのできる被係合部（４５０）を備えることを特徴とする上げ下げ窓により前記課題を解決するものである。
【００１２】
この請求項１に記載の発明によれば、２ドラム式バランサーを枠体に固定するには、２ドラム式バランサーを上枠に当接させて、横方向にスライドさせることにより上枠下面に取り付けられたブラケットに２ドラム式バランサーの上部フックを差し入れ係合させる。これによって、２ドラム式バランサーは上枠に吊り下げられるように仮固定され、取り付け作業をする者は２ドラム式バランサーを頭上に保持する必要から開放される。
【００１３】
なお、本発明において、「バランサーの側部当接部が、縦枠に当接する」とは、バランサーの側部当接部が、縦枠に直接当接するもののほか、縦枠に取り付けられた面状部材に側部当接部が当接する場合を含むものとする。
【００１４】
請求項２の発明は、上枠（１）、下枠（１０）および左右の縦枠（２０、３０）からなる枠体（５０）内に上げ下げ可能な二枚の可動障子（６０、８０）を設け、これらの可動障子を吊り材（２１０ａ、２１０ｂ）を介して任意の高さ位置に停止可能に吊下げる２ドラム式バランサー（２００ａ、２００ｂ）を上枠内両端にそれぞれ取り付けてなる上げ下げ窓（１００）であって、バランサーは縦枠に当接する側部当接部（２７０）とこの側部当接部の横枠の中央より上部に取り付けられる上部係止部（２６０）とを具備するとともに、側部当接部は開口部（５５）と開口部の下方であってかつ取り付け状態においてバランサーのドラム（２０２ａ、２０２ｂ）の最下端よりさらに低い高さに配置される孔（５４ａ）を備え、上枠下面（４００）には上部係止部を見付け方向に差し入れ係合することのできる被係合部（４５０）を備えるとともに、縦枠には側部当接部の開口部に上向きに差し入れ可能に構成された側部係止部（５３）を備えることを特徴とする上げ下げ窓により前記課題を解決するものである。
【００１５】
この請求項２に記載の発明によれば、２ドラム式バランサーを枠体に固定するには、まず２ドラム式バランサーを上枠に当接させて、横方向にスライドさせることにより上枠下面に取り付けられたブラケットに２ドラム式バランサーの上部フックを差し入れ係合させる。これによって、２ドラム式バランサーは上枠に吊り下げられるように仮固定され、取り付け作業をする者は２ドラム式バランサーを頭上に保持する必要から開放される。また上部フックを十分にブラケットに差し入れると、その状態において、２ドラム式バランサーの側部当接部は縦枠に当接されているように配置可能であり、かつそのようにすれば、側部当接部の開口部には縦枠に設けられた側部フックが差し入れられた状態にある。そこで、バランサーの側部を下方に押し込むことにより、縦枠の側部フックはバランサーの開口部内に深く差し入れられ、バランサーと枠体とは２点で固定される。さらに、側部当接部において、開口部の下方に配置された孔にネジやリベット等の結合部材を差し入れて、縦枠との堅固な固定を図ることが可能である。これによって、長期にわたり安定した性能を発揮することが可能となる。また、側部当接部に設けられた孔は、バランサーのドラムの最下端よりさらに低い高さに配置されているので、例えばドライバー等により結合部材を操作する時にもバランサーのドラムがじゃまになることがなく、容易な作業を実現することが可能である。
【００１６】
請求項３の発明は、上枠（１）、下枠（１０）および左右の縦枠（２０、３０）からなる枠体（５０）内に上げ下げ可能な二枚の可動障子（６０、８０）を設け、これらの可動障子を吊り材（２１０ａ、２１０ｂ）を介して任意の高さ位置に停止可能に吊下げる２ドラム式バランサー（２００ａ、２００ｂ）を上枠内両端にそれぞれ取り付けてなる上げ下げ窓（１００）であって、バランサーは縦枠に当接する側部当接部（２７０）とこの側部当接部の横枠の中央より上部に取り付けられる上部係止部（２６０）とを具備するとともに、側部当接部は上下方向に離隔して配置された複数の開口部（５５ａ、５５ｂ）を備え、上枠下面には上部係止部を見付け方向に差し入れ係合することのできる被係合部（４５０）を備えるとともに、縦枠には側部当接部の各開口部に対応する位置に上向きに差し入れ可能に構成された複数の側部係止部（６１、６２）を備えることを特徴とする上げ下げ窓により前記課題を解決するものである。
【００１７】
この請求項３に記載の発明によれば、２ドラム式バランサーを枠体に固定するには、まず２ドラム式バランサーを上枠に当接させて、横方向にスライドさせることにより上枠下面に取り付けられたブラケットに２ドラム式バランサーの上部フックを差し入れ係合させる。これによって、２ドラム式バランサーは上枠に吊り下げられるように仮固定され、取り付け作業をする者は２ドラム式バランサーを頭上に保持する必要から開放される。また上部フックを十分にブラケットに差し入れると、その状態において、２ドラム式バランサーの側部当接部は縦枠に当接されているように配置可能であり、かつそのようにすれば、側部当接部の複数の開口部には、これら複数の開口に対応して縦枠に設けられた複数の側部フックが差し入れられた状態にある。そこで、バランサーの側部を下方に押し込むことにより、縦枠の複数の側部フックはそれぞれに対応するバランサーの開口部内に深く差し入れられ、バランサーと枠体とは３点以上の点で固定される。これによって、バランサーは枠体に堅固に固定されるので、長期にわたり安定した性能を発揮することが可能となる。また、固定作業としては、ネジやリベットなど結合部材を使用せず、ブラケット、開口にフックを差し入れるだけなので、きわめて容易に作業を進めることが可能となる。
【００１８】
本発明のこのような作用及び利得は、次に説明する実施の形態から明らかにされる。
【００１９】
【発明の実施の形態】
以下本発明を図面に示す実施形態に基づき説明する。図１（Ａ）は、本発明の１実施形態による上げ下げ窓１００が開放されているときに当該上げ下げ窓１００を室内側から正面視したときの概略図であり、図１（Ｂ）は、図１（Ａ）に示した上げ下げ窓１００が閉鎖されているときに当該上げ下げ窓１００を室内側から正面視したときの概略図である。
【００２０】
図示の上げ下げ窓１００はダブルハング型の上げ下げ窓であり、建物（図示せず。）の所定箇所に取り付けられる枠体５０と、枠体５０の開口部４８を閉鎖または開放するために当該枠体５０に取り付けられた２枚の障子６０、８０とを備えている。２枚の障子６０、８０は可動障子となっている。
【００２１】
枠体５０は、上枠１、下枠１０、右縦枠２０、および左縦枠３０によって構成されており、上枠１および下枠１０それぞれの長手方向端面は、右縦枠２０および左縦枠３０それぞれの長手方向端部に形成された平坦面に当接している。
【００２２】
内障子６０は、上框６１と、下框６３と、右縦框６５と、左縦框６７と、これらの框に固定されたガラスパネル６９とを有しており、下框６３には引き手６４が設けられている。同様に、外障子８０は、上框８１、下框８３、右縦框８５、左縦框８７、および、これらの框に固定されたガラスパネル８９を有している。内障子６０と外障子８０との召し合わせ部には、戸締まりのためのクレセント９５が取り付けられている。枠体５０の開口部４８（図１（Ａ）参照）を閉鎖または開放する（以下、「障子を閉める」または「障子を開ける」という。）にあたっては、内障子６０、及び外障子８０が上下方向へスライドされる。開口部４８が最も開放されるのは、正面視上内障子６０と、外障子８０とが重なった状態にあるときである。そして、前記上枠１の両側には、可動障子である内障子６０、及び外障子８０を任意の高さ位置に停止可能な２ドラム式バランサー２００ａ、２００ｂが取り付けられている（図１においては鎖線で示されている。）。
【００２３】
図２は、上枠１の左側に取り付けられた２ドラム式バランサー２００ａを室内側正面方向から示す概略図である。また図３は上枠１に取り付けられた２ドラム式バランサー２００ａを平面視した概略図である。上枠１の左側に取り付けられた２ドラム式バランサー２００ａは、上枠１の右側に取り付けられた２ドラム式バランサー２００ｂとは鏡像の関係にあるので、以下においては左側に取り付けられている２ドラム式バランサー２００ａに両者を代表させて説明を行う。
【００２４】
この２ドラム式バランサー２００ａは、ワイヤー２１０ａ（図２参照）を介して内障子６０の上げ下げに使用される第一バランサー３００ａと、ワイヤー２１０ｂ（図２参照）を介して外障子８０の上げ下げに使用される第二バランサー３００ｂとが、連結部材２５０ａ、２５０ｂにより一体に連結されている。本実施形態のバランサーは図７に示された従来例のバランサーとは異なり、ドラムの軸心が取り付け状態において略水平（従来例のバランサーは垂直）に配置されている。これによって、見込み方向の寸法を小さく抑えることが可能である。第一バランサー３００ａと第二バランサー３００ｂとはその構造と作動原理は同様であるので、両者に共通する構造、作用については第一バランサー３００ａについてのみ説明し、第二バランサー３００ｂについては、第一バランサーの部材に付された参照符号の内、「ａ」を「ｂ」に置き換えた参照符号を図面に付して、その説明を省略する。
【００２５】
第一バランサー３００ａは、室内外方向の軸３０１ａを中心に回動してワイヤー２１０ａを巻取るドラム２０２ａと、このドラム２０２ａを巻取り方向に付勢するゼンマイバネ（不図示）と、これらを収容したケーシング２０３ａとから主に構成されている。
【００２６】
ケーシング２０３ａの室内側に面する側面には、巻取り付け勢力（バネ力）を調節するための調節部２０４ａ（図に現れていない。）が設けられている。ドラム２０２ａには、巻き始めから巻き終わりまでワイヤー２１０ａに一定の張力が作用するように漸次縮径した螺旋状の巻取り溝（不図示）が形成されている。
【００２７】
調節部２０４ａは、前記軸３０１ａに取り付けられた爪車２０５ａと、この爪車２０５ａの回転を止めるべく揺動可能に軸支されバネ２０６ａにより付勢された爪２０７ａとからなるラチェット機構からなっている。軸３０１ａには工具例えばマイナスドライバーが係合する係合溝２０８ａが設けられ、軸３０１ａを巻取り方向に回すことによりゼンマイバネを巻いて巻取付勢力を増大させることができる。また、爪２０７ａをバネ２０６ａに抗して揺動させることにより軸３０１ａを間欠的に巻き戻し（ゼンマイバネを緩め）、巻取り付け勢力を減少させることができるようになっている。
【００２８】
第一バランサー３００ａでは、ドラム２０２ａから繰り出されたワイヤー２１０ａが内障子６０の左縦框６７の縦溝６７ａ内に直接垂下されている。一方、第二バランサー３００ｂは、ドラム２０２ｂから繰り出されたワイヤー２１０ｂを外障子８０の左縦框８７の縦溝８７ａ内に案内するためのガイドとして滑車２０９ｂを有している。第一バランサー３００ａのケーシング２０３ａの一端には前記縦溝８７ａ内に突出する突出片２１１ｂが突設され、この突出片２１１ｂに滑車２０９ｂが回転可能に軸支されている。前記ワイヤー２１０ａの先端にはリング２１２ａ（第二バランサー３００ｂにかかるリング２１２ｂは不図示）が形成されており、このリングが内障子６０のピボット（不図示）に引掛けられている。
【００２９】
第一バランサー３００ａのワイヤー２１０ａ先端のリング２１２ａを内障子６０のピボットに引掛ける前の段階でワイヤー２１０ａがドラム２０２ａに全て巻取られてしまうのを防止すると共に所定の張力（巻取り付勢力）を保ったままワイヤー２１０ａをドラム２０２ａから所定長さだけ垂らした状態に保持するために、ワイヤー２１０ａにはストッパー２１３ａが設けられている。また、ケーシング２０３ａ下部には前記ストッパー２１３ａをドラム２０２ａとの間で係止する係止部２１４ａ（図２参照）が設けられている。
【００３０】
また、第二バランサー３００ｂのワイヤー２１０ｂ先端のリング２１２ｂを外障子８０のピボットに引掛ける前の段階でワイヤー２１０ｂがドラム２０２ｂに全て巻取られてしまうのを防止すると共に所定の張力（巻取り付勢力）を保ったままワイヤー２１０ｂを滑車２０９ｂから所定長さだけ垂らした状態に保持するために、ワイヤー２１０ｂにはストッパー２１３ｂが設けられていると共に、突出片２１１ｂにはストッパー２１３ｂを滑車２０９ｂとの間で係止する係止部２１４ｂ（図３参照）が設けられている。
【００３１】
図３を参照して、第一バランサー３００ａのケーシング２０３ａは、バランサー３００ａの室内側を覆う室外側カバー部材２４０ａと、バランサー３００ａの室外側を覆う室内側カバー部材２４１ａとからなっている。一方、第二バランサー３００ｂのケーシング２０３ｂは、バランサー３００ｂの室内側を覆う室内側カバー部材２４０ｂと、バランサー３００ｂの室外側を覆う室外側カバー部材２４１ｂとからなっている。バランサー３００ａの室外側を覆う室内側カバー部材２４１ａと、バランサー３００ｂの室内側を覆う室内側カバー部材２４０ｂとは一体に形成されている。これとカバー部材２４０ａ、２４１ｂとが正面視上重なる部分でこれら３部材が連結部材２５０ａ、２５０ｂにより固定され、第一バランサー３００ａと第二バランサー３００ｂとの連結が図られている。
【００３２】
第二バランサー３００ｂの室内側カバー部材２４０ｂの右端上部には、見込み方向に延在するフック２６０が取り付けられている。一方、第一バランサー３００ａの室内側カバー部材２４０ａの左端は、室外方向に直角に折り返されて、側部当接部２７０を形成している。側部当接部２７０は縦枠３０に面接触可能である。
【００３３】
図４は、枠体５０に２ドラム式バランサー２００ａを取り付けた状態を側面から示す概略図である。なお、図４は２ドラム式バランサー２００ａの枠体５０への取り付け点（３箇所、図中で参照符号Ａ、Ｂ、Ｃにより示される箇所）を詳細に示すため各部分の拡大図を同一図面上に表している。また、図５（Ａ１）、（Ｂ）、及び（Ｃ）は、図４におけるＡ〜Ｃの各部分を、図４とは直交する方向から表した概略断面図である。なお、図５にはこれらに加えて（Ａ２）に上枠１に取り付けられるブラケットの斜視図が示されている。以下に図４及び図５を参照しつつ、２ドラム式バランサー２００ａの枠体５０への取り付けについて、Ａ、Ｂ、Ｃの順に説明する。なお２ドラム式バランサー２００ｂの枠体５０右側上部への取り付けは、以下に説明する２ドラム式バランサー２００ａの枠体左側上部への取り付けと鏡像関係にあり、基本的にはその原理は同様であるので、その説明を省略する。
【００３４】
（Ａ点）
Ａ点においては、上枠１から下方に上枠１と一体の「Ｌ」字型のレール４００が延設されている。レール４００は、上枠１のほぼ全長に亘って設けられているものである。このレール４００の見付け方向の一点には図５（Ａ２）に示されているブラケット４５０がネジ４６０により取り付けられている。ブラケット４５０は、レール４００の下面に当接される当接面４５１と、当接面４５１と平行かつ取り付け状態において当接面４５１より下方に配置されるフック受け面４５４と、当接面４５１及びフック受け面４５４とを連結する連結面４５６とを備えている。当接面４５１の両側部には上方に向けてリブ４５２、４５３が延設されている。フック受け面４５４の上面にはなだらかな球形の凸部４５５が形成されている。また、リブ４５２、４５３の間隔はレール４００の幅より僅かに大きく設けられている。また、当接面４５１にはネジ孔４５７が設けられている。
【００３５】
レール４００にブラケット４００を取り付けるには、レール４００の下面の所定箇所（これについては後に説明する。）にネジ孔４５７と同形状のネジ孔を設け、ブラケット４５０のネジ孔４５７をこれに合わせ、当接面４５１をレール４００の下面に当接させる。このとき、ブラケット４００の当接面４５１側が枠体５０の左縦枠３０側に、フック受け面４５４側が枠体５０の中央寄りに配置されるようにする。そしてネジ孔４５７にネジ４６０を差し入れてブラケット４５０をレール４００に固定する。このときリブ４５２、４５３は、レール４００を狭持する配置となるので、ブラケット４５０はレール４００に動かぬように固定される。
【００３６】
前記したように、２ドラム式バランサー２００ａにおける第二バランサー３００ｂの室内側カバー部材２４１ｂの右端上部には、見込み方向に延在するフック２６０が取り付けられている。今このフック２６０をレール４００下面にあてがい、左方向にスライドさせると、フック２６０は、ブラケット４５０のフック受け面４５４と、レール４００下面との隙間に入り込む。さらに左方向にスライドを進めると、連結面４５６にフック２６０の先端２６０ａが突き当り、それ以上フック２６０の左方向へのスライドは規制される（図５（Ａ１）参照）。このとき第一バランサー３００ａの室内側カバー部材２４０ａの側部当接部２７０は縦枠３０に当接している。換言すれば、そのような配置となるようにレール４００へのブラケット４５０の取り付け位置が位置決めされているのである。
【００３７】
２ドラム式バランサー２００ａのフック２６０がブラケット４５０の上面に載置されることにより、２ドラム式バランサー２００ａは枠体５０に仮固定され、バランサーを枠体に取り付け作業をする者は２ドラム式バランサー２００ａを頭上に支える必要から開放される。
【００３８】
（Ｂ点）
縦枠３０には、バランサー取り付けプレート５０が連結具５１、５２により取り付けられている（図５（Ｂ）及び（Ｃ）参照）。Ｂ点において、取り付けプレート５０には上向きのフック５３が設けられている。なお、本実施形態では、縦枠３０にフックを備えた取り付けプレートを別体に取り付けた例を示すが、本発明ではこれに限定されず、縦枠３０に直接フックを設けても良い。以下の説明においては取り付けプレート５０も縦枠３０の一部として説明するものとする。
【００３９】
第一バランサー３００ａの室内側カバー部材２４０ａの側部当接部２７０には開口部５５が設けられている。上記において説明した、Ａ点で２ドラム式バランサー２００ａのフック２６０がブラケット４５０の上面に載置されフック２６０がブラケット４５０内に十分に差し込まれた状態においては、第一バランサー３００ａの側部当接部２７０は縦枠３０に当接されている。このときフック５３は、開口部５５内に見付け方向に突出している。この状態において、２ドラム式バランサー２００ａの左側の第一バランサー３００ａの部分を下方に押し下げることにより側部当接部２７０はフック５３と十分に係合され、縦枠３０に固定される（図５（Ｂ）参照）。
【００４０】
（Ｃ点）
Ａ点、及びＢ点が上記の要領で固定されると、Ｃ点では、側部当接部２７０、取り付けプレート５０、及び縦枠３０に設けられた孔５４ａ、５４ｂ、５４ｃが一致する。これらの孔は第一バランサー３００ａのドラム２０２ａより下方に配置されている。これらの孔５４ａ、５４ｂ、５４ｃに連結具５６を差し入れてこれら三部材を固定する。よって、第一バランサー３００ａに位置的な干渉をされることなく連結具５６による固定が可能である。
【００４１】
かくして、枠体５０と２ドラム式バランサー２００ａとは、Ａ、Ｂ、及びＣの３点において固定される。しかも、Ｃ点のみ工具による施工を必要とし、Ａ点、及びＢ点での固定は工具を必要とせず、単にバランサーを把持しつつ一方向に押し込むだけで良い。
【００４２】
次に、Ａ〜Ｃの３点において、２ドラム式バランサー２００ａを枠体５０に固定する方法を順に説明する。まず２ドラム式バランサー２００ａ、２００ｂを上枠１に当接させて、左方向（２ドラム式バランサー２００ｂにあっては右方向）にスライドさせることにより上枠下面のレール４００に取り付けられたブラケット４５０に２ドラム式バランサー２００ａの上部フック２６０を差し入れ係合させる。これによって、２ドラム式バランサー２００ａは上枠１に吊り下げられるように仮固定され、取り付け作業をする者は２ドラム式バランサー２００ａを頭上に保持する必要から開放される。また上部フック２６０を十分にブラケット４５０に差し入れると、その状態において、２ドラム式バランサー２００ａの側部当接部２７０は縦枠３０に当接されているように配置可能であり、かつそのようにすれば、側部当接部２７０の開口部５５には縦枠３０に設けられた側部フック５３が差し入れられた状態にある。そこで、バランサー２００ａの側部を下方に押し込むことにより、縦枠３０の側部フック５３はバランサー２００ａの開口部５５内に深く差し入れられ、バランサー２００ａと枠体５０とは２点で堅固に固定される。
【００４３】
さらに、側部当接部２７０において、開口部５５の下方に配置された孔５４ａにネジやリベット等の結合部材５６を差し入れて、縦枠３０との固定を図ることが可能である。これによって、バランサー２００ａは枠体５０に３点において固定されるので、長期にわたり安定した性能を発揮することが可能となる。また、側部当接部２７０に設けられた孔５４ａは、バランサー２００ａのドラム２０２ａ、２０２ｂの最下端よりさらに低い高さに配置されているので、例えばドライバー等により結合部材５６を操作する時にもバランサーのドラム２０２ａ、２０２ｂがじゃまになることがなく、容易な作業を実現することが可能である。
【００４４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う上げ下げ窓もまた本発明の技術的範囲に包含されるものとして理解されなければならない。例えば以下に示す変形例は、本発明の技術的範囲に属するものである。
【００４５】
（変形例１）
図６に示すように、取り付けプレート６０に２つのフック６１、６２を設けるとともに、側部当接部２７０のこれと対応する位置に２つの開口部５５ａ、５５ｂを設け、これらにより、固定を図るようにしても良い。このようにすれば、枠体５０にバランサーを取り付ける際に工具を必要としない。またこの変形例のさらに他の態様として、フックと開口部との組み合わせを三以上としても良い。
【００４６】
（変形例２）
フックの上枠への取付は、図８（ａ）に示す構成にしても良い。すなわちレールに切り欠きを設けて、左右のレール部４００ａ、４００ｂを分割して配置し、この切り欠き部にフックを差し入れるようにして、バランサーを上方に押し当てる。しかる後にバランサーを見つけ方向にずらせることにより、バランサーをレール４００ｂにぶら下げるようにして固定することができる（図８（ｂ）参照）。
【００４７】
【発明の効果】
以上に説明したように、請求項１に記載の発明によれば、２ドラム式バランサーを枠体に固定するには、２ドラム式バランサーを上枠に当接させて、横方向にスライドさせることにより上枠下面に取り付けられたブラケットに２ドラム式バランサーの上部フックを差し入れ係合させる。これによって、２ドラム式バランサーは上枠に吊り下げられるように仮固定され、取り付け作業をする者は２ドラム式バランサーを頭上に保持する必要から開放される。
【００４８】
また、請求項２に記載の発明によれば、２ドラム式バランサーを枠体に固定するには、まず２ドラム式バランサーを上枠に当接させて、横方向にスライドさせることにより上枠下面に取り付けられたブラケットに２ドラム式バランサーの上部フックを差し入れ係合させる。これによって、２ドラム式バランサーは上枠に吊り下げられるように仮固定され、取り付け作業をする者は２ドラム式バランサーを頭上に保持する必要から開放される。また上部フックを十分にブラケットに差し入れると、その状態において、２ドラム式バランサーの側部当接部は縦枠に当接されているように配置可能であり、かつそのようにすれば、側部当接部の開口部には縦枠に設けられた側部フックが差し入れられた状態にある。そこで、バランサーの側部を下方に押し込むことにより、縦枠の側部フックはバランサーの開口部内に深く差し入れられ、バランサーと枠体とは２点で固定される。さらに、側部当接部において、開口部の下方に配置された孔にネジやリベット等の結合部材を差し入れて、縦枠との堅固な固定を図ることが可能である。これによって、長期にわたり安定した性能を発揮することが可能となる。また、側部当接部に設けられた孔は、バランサーのドラムの最下端よりさらに低い高さに配置されているので、例えばドライバー等により結合部材を操作する時にもバランサーのドラムがじゃまになることがなく、容易な作業を実現することが可能である。
【００４９】
また、請求項３に記載の発明によれば、２ドラム式バランサーを枠体に固定するには、まず２ドラム式バランサーを上枠に当接させて、横方向にスライドさせることにより上枠下面に取り付けられたブラケットに２ドラム式バランサーの上部フックを差し入れ係合させる。これによって、２ドラム式バランサーは上枠に吊り下げられるように仮固定され、取り付け作業をする者は２ドラム式バランサーを頭上に保持する必要から開放される。また上部フックを十分にブラケットに差し入れると、その状態において、２ドラム式バランサーの側部当接部は縦枠に当接されているように配置可能であり、かつそのようにすれば、側部当接部の複数の開口部には、これら複数の開口に対応して縦枠に設けられた複数の側部フックが差し入れられた状態にある。そこで、バランサーの側部を下方に押し込むことにより、縦枠の複数の側部フックはそれぞれに対応するバランサーの開口部内に深く差し入れられ、バランサーと枠体とは３点以上の点で固定される。これによって、バランサーは枠体に堅固に固定されるので、長期にわたり安定した性能を発揮することが可能となる。また、固定作業としては、ネジやリベットなど結合部材を使用せず、ブラケット、開口にフックを差し入れるだけなので、きわめて容易に作業を進めることが可能となる。
【図面の簡単な説明】
【図１】（Ａ）は、本発明の１実施形態による上げ下げ窓が開放されているときに当該上げ下げ窓を室内側から正面視したときの概略図であり、（Ｂ）は、（Ａ）に示した上げ下げ窓が閉鎖されているときに当該上げ下げ窓を室内側から正面視したときの概略図である。
【図２】上枠の左側下部に取り付けられた２ドラム式バランサーを室内側正面方向から示す概略図である。
【図３】上枠に取り付けられた２ドラム式バランサーを平面視した概略図である。
【図４】枠体に取り付けられた２ドラム式バランサーを側面から示す概略図である。
【図５】（Ａ１）、（Ｂ）および（Ｃ）は、図４におけるＡ〜Ｃの各部分を図４とは直交する方向から表した概略断面図である。（Ａ２）は上枠１に取り付けられるブラケットの斜視図である。
【図６】変形例にかかる上げ下げ窓の側部の係合を示す断面図である。
【図７】特許文献２に開示されているダブルハング式上げ下げ窓の左上部にバランサーが取り付けられている構造を示す概略図である。
【図８】バランサーをレールに取り付ける構造の変形例を示す図である。
【符号の説明】
１  上枠
１０  下枠
２０  左縦枠
３０  右縦枠
５０  枠体
５３  側部フック（側部係止部）
５４ａ  孔
５５、５５ａ、５５ｂ  開口部
６０  内障子（可動障子）
６１、６２  側部フック（側部係止部）
８０  外障子（可動障子）
１００  上げ下げ窓
２００ａ、２００ｂ  ２ドラム式バランサー
２１０ａ、２１０ｂ  ワイヤー（吊り材）
２６０  上部フック（上部係止部）
２７０  側部当接部
４００  レール（上枠下面）
４５０  ブラケット（被係合部）
【図１】
2005036424.tif 000003
【図２】
2005036424.tif 000004
【図３】
2005036424.tif 000005
【図４】
2005036424.tif 000006
【図５】
2005036424.tif 000007
【図６】
2005036424.tif 000008
【図７】
2005036424.tif 000009
【図８】
2005036424.tif 000010